(57)【要約】【課題】小形、軽量で変形し難く、かつ、何回でも繰り返して使用することができ、環境に優しい商品表示シート保持具を提供する。【解決手段】正面用の商品表示シートＢを担持する担持部１０を有し、該担持部１０の上部背面に上記商品表示シートＢの上部を係止する上端係止部１１を設けるとともに、上記担持部１０の下部背面に上記商品表示シートＢの下部を係止する下端係止部１２を設ける。さらに、上端係止部１１の後方に背面板１３とフック部１４よりなる逆Ｕ字状の係合部１５を設けるとともに、上記背面板１３の下部に刃物状の係合突条１６を設ける。さらに、上記担持部１０の左側および／または右側に側面用の商品表示シートＣを差し込むポケット部１７を設ける。【選択図】図１
0003125735.tif 000002
【実用新案登録請求の範囲】
【請求項１】
正面用の商品表示シートを担持する担持部を有し、該担持部の上部背面に上記商品表示シートの上部を係止する上端係止部を設けるとともに、上記担持部の下部背面に上記商品表示シートの下部を係止する下端係止部を設け、さらに、上端係止部の後方に背面板とフック部よりなる逆Ｕ字状の係合部を設けるとともに、上記背面板の下部に刃物状の係合突条を設け、かつ、上記担持部の左側および／または右側に側面用の商品表示シートを差し込むポケット部を設けたことを特徴とする商品表示シート保持具。
【請求項２】
上記担持部を、正面の方向に向かって突き出た湾曲状に形成するとともに、担持部の下端部が担持部の上端部よりも正面側に突出するように形成した請求項１記載の商品表示シート保持具。
【請求項３】
上記フック部にバネ力を付与した請求項１記載の商品表示シート保持具。
【請求項４】
上記担持部の上部背面に、上記担持部の上部背面部と上記背面板とに囲まれた横溝を設けるとともに、該横溝内に位置するように上記背面板に上記上端係止部を設けた請求項１記載の商品表示シート保持具。
【請求項５】
上記担持部の上部背面部に、上記横溝内に位置するように、上記上端係止部を設けた請求項１記載の商品表示シート保持具。
【請求項６】
上記上端係止部を、側面視で三角形の係止片で形成した請求項１、４または５記載の商品表示シート保持具。
【請求項７】
上記上端係止部の横幅を上記担持部の横幅よりも小さくした請求項１、４、５または６記載の商品表示シート保持具。
【請求項８】
上記下端係止部を、側面視でＬ字形の係止片で形成した請求項１記載の商品表示シート保持具。
【請求項９】
上記下端係止部の横幅を上記担持部の横幅よりも小さくした請求項１または８記載の商品表示シート保持具。
【請求項１０】
上記担持部の背面側に設けた逆Ｕ字状の係合部の横幅を上記担持部の横幅と同等とし、上記担持部の左側および／または右側に設けたポケット部に側面用の商品表示シートを差し込み易くした請求項１記載の商品表示シート保持具。
【請求項１１】
上記担持部に重量軽減用の開口部を設けた請求項１記載の商品表示シート保持具。
【請求項１２】
正面用の商品表示シートの素材、あるいは、正面用の商品表示シートおよび側面用の商品表示シートの素材が、熱可塑性合成樹脂１００重量部に対して１０〜２００重量部の低発熱性可燃材料を添加したものである、請求項１〜１１いずれかに記載の商品表示シート保持具。
【考案の詳細な説明】
【技術分野】
【０００１】
本考案は、陳列棚に陳列した商品の商品名、キャッチコピー、告知文などが表示された紙製の商品表示シートを保持するための合成樹脂製の商品表示シート保持具に関する。
【背景技術】
【０００２】
商品表示シート保持具を紙だけで作成した場合は、変形し易いため、形状が定まらないと言う不具合があった。このような不具合を解消するため、紙製の商品表示シート保持具は、陳列棚に設置されている「転び止め」に装着する鉤形の「引っ掛け部」が金属や合成樹脂製の別パーツになっており、これらの組み付けが面倒であった。
【０００３】
他方、商品表示シート保持具と商品表示シートとを一体化した合成樹脂製の商品表示プレートを押出成形することも考えられるが、合成樹脂の使用量が増大し、商品のキャンペーン期間が過ぎてから上記商品表示プレートを廃棄した場合に、環境を害するなどの問題があった。
【考案の開示】
【考案が解決しようとする課題】
【０００４】
本考案は、小形、軽量で変形し難く、かつ、何回でも繰り返して使用することができ、環境に優しい商品表示シート保持具を提供することにある。
【課題を解決するための手段】
【０００５】
係る課題を解決するため、請求項１に記載の考案に係る商品表示シート保持具は、正面用の商品表示シートを担持する担持部を有し、該担持部の上部背面に上記商品表示シートの上部を係止する上端係止部を設けるとともに、上記担持部の下部背面に上記商品表示シートの下部を係止する下端係止部を設け、さらに、上端係止部の後方に背面板とフック部よりなる逆Ｕ字状の係合部を設けるとともに、上記背面板の下部に刃物状の係合突条を設け、かつ、上記担持部の左側および／または右側に側面用の商品表示シートを差し込むポケット部を設けたことを特徴とする。
【０００６】
請求項２に記載の考案は、請求項１記載の商品表示シート保持具において、上記担持部を、正面の方向に向かって突き出た湾曲状に形成するとともに、担持部の下端部が担持部の上端部よりも正面側に突出するように形成したことを特徴とする。
請求項３に記載の考案は、請求項１記載の商品表示シート保持具において、上記フック部にバネ力を付与したことを特徴とする。
【０００７】
請求項４に記載の考案は、請求項１記載の商品表示シート保持具において、上記担持部の上部背面に、上記担持部の上部背面部と上記背面板とに囲まれた横溝を設けるとともに、該横溝内に位置するように上記背面板に上記上端係止部を設けたことを特徴とする。
請求項５に記載の考案は、請求項１記載の商品表示シート保持具において、上記担持部の上部背面部に、上記横溝内に位置するように、上記上端係止部を設けたことを特徴とする。
【０００８】
請求項６に記載の考案は、請求項１、４または５記載の商品表示シート保持具において、上記上端係止部を、側面視で三角形の係止片で形成したことを特徴とする。
請求項７に記載の考案は、請求項１、４、５または６記載の商品表示シート保持具において、上記上端係止部の横幅を上記担持部の横幅よりも小さくしたことを特徴とする。
【０００９】
請求項８に記載の考案は、請求項１記載の商品表示シート保持具において、上記下端係止部を、側面視でＬ字形の係止片で形成したことを特徴とする。
請求項９に記載の考案は、請求項１または８記載の商品表示シート保持具において、上記下端係止部の横幅を上記担持部の横幅よりも小さくしたことを特徴とする。
【００１０】
請求項１０に記載の考案は、請求項１記載の商品表示シート保持具において、上記担持部の背面側に設けた逆Ｕ字状の係合部の横幅を上記担持部の横幅と同等とし、上記担持部の左側および／または右側に設けたポケット部に側面用の商品表示シートを差し込み易くしたことを特徴する。
請求項１１に記載の考案は、請求項１記載の商品表示シート保持具において、上記担持部に重量軽減用の開口部を設けたことを特徴する。
請求項１２に記載の考案は、正面用の商品表示シートの素材、あるいは、正面用の商品表示シートおよび側面用の商品表示シートの素材が、熱可塑性合成樹脂１００重量部に対して１０〜２００重量部の低発熱性可燃材料を添加したことを特徴とする。
【考案の効果】
【００１１】
請求項１に記載の商品表示シート保持具は、正面用の商品表示シートを担持する担持部を有し、該担持部の上部背面に上記商品表示シートの上部を係止する上端係止部を設けるとともに、上記担持部の下部背面に上記商品表示シートの下部を係止する下端係止部を設け、さらに、上端係止部の後方に背面板とフック部よりなる逆Ｕ字状の係合部を設けるとともに、上記背面板の下部に刃物状の係合突条を設け、かつ、上記担持部の左側および／または右側に側面用の商品表示シートを差し込むポケット部を設けたので、小形、軽量で変形し難く、かつ、何回でも繰り返して使用することができ、環境に優しい商品表示シート保持具と言える。
【００１２】
また、この商品表示シート保持具は、上端係止部の後方に背面板とフック部よりなる逆Ｕ字状の係合部を設けたので、陳列棚に設けた「転び止め」に簡単に装着することができる。さらに、Ｕ字状の係合部を形成している背面板の下部に刃物状の係合突条を設けので、陳列棚に設けた凹条溝に簡単に差し込むことができる。
さらに、この商品表示シート保持具は、上記担持部の左手側および／または右手側に側面用の商品表示シートを差し込むポケット部を設けたので、側面用の商品表示シートを装着することによって担持部の側面側でも商品をアピールすることができる。
【００１３】
請求項２に記載の考案は、請求項１記載の商品表示シート保持具において、上記担持部を、正面の方向に向かって突き出た湾曲状に形成するとともに、担持部の下端係止部が担持部の上端係止部よりも正面側に突出するように形成したので、商品表示シートに表示された商品の商品名、キャッチコピー、告知文などを見やすくすることができる。
【００１４】
請求項３に記載の考案は、請求項１記載の商品表示シート保持具において、上記フック部にバネ力を付与したので、上端係止部の後方に背面板とフック部よりなる逆Ｕ字状の係合部を陳列棚に設けた「転び止め」に簡単に装着することができる。
【００１５】
請求項４に記載の考案は、請求項１記載の商品表示シート保持具において、上記担持部の上部背面に、上記担持部の上部背面部と上記背面板とに囲まれた横溝を設けるとともに、該横溝内に位置するように上記背面板に上記上端係止部を設けたので、正面用の商品表示シートの上部を横溝内に収容した状態で上端係止部に容易に係合させることができる。
【００１６】
請求項５に記載の考案は、請求項１記載の商品表示シート保持具において、上記担持部の上部背面部に、上記横溝内に位置するように、上記上端係止部を設けたので、請求項４に記載の考案と同様に、正面用の商品表示シートの上部を横溝内に収容した状態で上端係止部に容易に係合させることができる。
【００１７】
請求項６に記載の考案は、請求項１、４または５記載の商品表示シート保持具において、上記上端係止部を、側面視で三角形の係止片で形成したので、正面用の商品表示シートの上部を横溝内に収容した状態で上端係止部に容易に係合させることができる。
【００１８】
請求項７に記載の考案は、請求項１、４、５または６記載の商品表示シート保持具において、上記上端係止部の横幅を上記担持部の横幅よりも小さくしたので、正面用の商品表示シートの上部を横溝内に収容した状態で上端係止部に容易に係合させることができる。
【００１９】
請求項８に記載の考案は、請求項１記載の商品表示シート保持具において、上記下端係止部を、側面視でＬ字形の係止片で形成したので、正面用の商品表示シートの下部を下端係止部に容易に係合させることができる。
【００２０】
請求項９に記載の考案は、請求項１または８記載の商品表示シート保持具において、上記下端係止部の横幅を上記担持部の横幅よりも小さくしたので、正面用の商品表示シートの下部を下端係止部に容易に係合させることができる。
【００２１】
請求項１０に記載の考案は、請求項１記載の商品表示シート保持具において、上記担持部の背面側に設けた逆Ｕ字状の係合部の横幅を上記担持部の横幅と同等とし、上記担持部の左側および／または右側に設けたポケット部に側面用の商品表示シートを差し込み易くしたので、担持部の左側および／または右側に設けたポケット部に側面用の商品表示シートを容易に差し込むことができるようになった。
【００２２】
請求項１１に記載の考案は、請求項１記載の商品表示シート保持具において、上記担持部に重量軽減用の開口部を設けたので、商品表示シート保持具の重量を軽減することが可能になった。
【００２３】
請求項１２に記載の考案は、正面用の商品表示シートの素材、あるいは、正面用の商品表示シートおよび側面用の商品表示シートの素材が、熱可塑性合成樹脂１００重量部に対して１０〜２００重量部の低発熱性可燃材料を添加したものであるので、良好な強度が得られるほか、可燃物として焼却処分することができる。
【考案を実施するための最良の形態】
【００２４】
以下、本考案の実施の形態を図面を用いて説明する。
本考案に係る商品表示シート保持具Ａは、熱可塑性合成樹脂で一体成形されている。そして、図１ないし図４に示すように、正面用の紙製の商品表示シートを担持する担持部１０を有している。この担持部１０は、その上部背面に商品表示シートの上部を係止する上端係止部１１を有するとともに、その下部背面に商品表示シートの下部を係止する下端係止部１２を有している。さらに、上端係止部１１の後方に背面板１３とフック部１４よりなる逆Ｕ字状の係合部１５を設けるとともに、上記背面板１３の下部に刃物状の係合突条１６を設けている。その上、上記担持部１０の左側および右側に図示しない側面用の商品表示シートを差し込むポケット部１７を設けている。なお、ポケット部１７は、左右どちらか一方でも支障がない。
なお、正面用の商品表示シートは、通常、紙製であるが、熱可塑性合成樹脂製でもよい。
また、側面用の商品表示シートは、紙製でも、熱可塑性合成樹脂製でもよい。
【００２５】
さらに詳しく説明すると、上記担持部１０は、図１に示すように、正面の方向に向かって突き出た湾曲状に形成され、担持部１０の下端部１９が担持部１０の上端部１８よりも正面側に突出するように形成されている。さらに、上記フック部１４には、バネ力が付与されている。
【００２６】
また、上記担持部１０の上部背面には、図１に示すように、上記担持部１０の上部背面部２０と上記背面板１３とに囲まれた横溝２１を設けるとともに、該横溝２１内に位置するように上記背面板１３に上記上端係止部１１を設けている。
【００２７】
なお、図５に示すように、上記担持部１０の上部背面部２０に、上記横溝２１内に位置するように、上記上端係止部１１を設けても支障がない。また、上記上端係止部１１は、側面視で三角形の係止片で形成することが望ましい。また、上記上端係止部１１の横幅は、上記担持部１０の横幅よりも小さくなるように設計されている。
【００２８】
また、上記下端係止部１２は、側面視でＬ字形の係止片で形成されている。その上、上記下端係止部１２の横幅は、上記担持部１０の横幅よりも小さくなるように設計されている。
【００２９】
その上、上記担持部１０の背面側に設けた逆Ｕ字状の係合部１５の横幅は、上記担持部１０の横幅と同等とし、上記担持部１０の左側および／または右側に設けたポケット部１７に側面用の商品表示シート（図示せず）を差し込み易くなっている。さらに、上記担持部１０に開口部２２を設けて商品表示シート保持具Ａの重量軽減を図っている。
【００３０】
図６において、符号Ｂ１は、単独使用の商品表示シート保持具Ａに適用する正面用の商品表示シートであり、その横幅は、上記担持部１０の横幅と同寸法になっている。この商品表示シートＢ１は、その上部に商品表示シート保持具１０の上端係止部１１に係合する長方形の第１穴部３１を有し、その下部に商品表示シート保持具１０の下端係止部１２に係合する長方形の第２穴部３２を有している。その上、この商品表示シートＢ１は、その上部に山折り用の折り線３３および３４を有し、その下部に山折り用の折り線３５および３６を有している。第１穴部３１は、第１，第２の折り線３３，３４の中間部に設けられ、第２穴部３２の上縁は、第４の折れ線３４に掛かっている。
【００３１】
図７において、符号Ｂ２は、両支持用の商品表示シートであり、この商品表示シートＢ２の両側に商品表示シート保持具１０に装着するための第１穴部３１と第２穴部３２とが設けられている。この両支持用の商品表示シートＢ２の長さは、通常、３００〜５００ｍｍ程度である。なお、折り線については、同じ符号を付けて詳しい説明を省略する。
【００３２】
図８において、符号Ｂ３は、三点支持用の商品表示シートであり、この商品表示シートＢ３の両側と中央部に商品表示シート保持具Ａに装着するための第１穴部３１と第２穴部３２とが設けられている。この両支持用の商品表示シートＢ３の長さは、通常、６００〜９００ｍｍ程度である。なお、折り線については、同じ符号を付けて詳しい説明を省略する。
【００３３】
図９において、符号Ｃは、側面用の商品表示シートである。この商品表示シートＣは、シート中央に設けた折り線４１を山折りするようになっており、切欠き部４２によって形成された脚部４３を図示しない商品表示シート保持具の側面に設けたポケット部に差し込むようになっている。そして、切欠き部４２の上端部４４がポケット部１７の外枠２３（図３参照。）に係合するようになっている。
【００３４】
図１０は、商品表示シート保持具Ａを単独使用した正面図であり、担持部１０の正面に正面用の商品表示シートＢ１が装着され、左右両側のポケット部１７にそれぞれ側面用の商品表示シートＣが挿入されている。
【００３５】
図１１は、二個の商品表示シート保持具Ａを用いて両持ち用の商品表示シートＢ１を担持した例であり、側面用の商品表示シートＣは、最外端部のポケット部１７に挿入されている。
【００３６】
図１２は、三個の商品表示シート保持具Ａを用いて三点支持用の商品表示シートＢ３を担持した例であり、側面用の商品表示シートＣは、最外端部のポケット部１７に挿入されている。図１３は、図１０ないし図１３のＹ−Ｙ断面を示している。
【００３７】
この商品表示シート保持具Ａは、上端係止部１１の後方に背面板１３とフック部１４よりなる逆Ｕ字状の係合部１５を設けたので、図１４に示すように、陳列棚５０に設けた転び止め５１に簡単に装着することができる。さらに、Ｕ字状の係合部１５を形成している背面板１３の下部に刃物状の係合突条１６を設けので、陳列棚５０に設けた凹条溝５２に簡単に差し込むことができる。
【００３８】
なお、本考案の商品表示シート保持具（および側面用の商品表示シート）の素材は、熱可塑性合成樹脂単独品のほか、好ましくは、該熱可塑性合成樹脂を主原料とし、これに各種の低発熱性可燃性材料が所定量添加されているものが挙げられる。
ここで、熱可塑性合成樹脂としては、例えばポリエチレン、ポリプロピレン、エチレン系共重合体、プロピレン系共重合体などのポリオレフィン系樹脂のほか、ポリスチレン、ＡＢＳ樹脂などのスチレン系樹脂、ナイロン６、ナイロン６，６などのポリアミド、ポリエチレンテレテフタレート、ポリブチレンテレフタレートなどのポリエステル、ポリメチル（メタ）アクリレートなどのアクリル系樹脂などが挙げられる。
【００３９】
また、熱可塑性合成樹脂としては、酢酸セルロース；ポリ（α−ヒドロキシ酸）、ポリ（β−ヒドロキシアルカノエート）、ポリ（ω−ヒドロキシアルカノエート）、ポリアルキレンアルカノエートなどの脂肪族ポリエステル；そのほか、ポリグリコール酸、ポリ−Ｌ−乳酸、グリコリド／ラクチド共重合体、ポリジオキサン、グリコリド／トリメチレンカーボネート共重合体、ポリカプロラクトンなどの生分解性プラスチック類が挙げられるが、これらの生分解性プラスチックに限定されるものではない。
以上の熱可塑性合成樹脂のうちでも、強度面や経済面から、ポリプロピレンが好ましい。
以上の熱可塑性合成樹脂は、１種単独であるいは２種以上を併用することができる。
【００４０】
また、上記低発熱性可燃性材料としては、例えば古紙、紙製品、木粉、麻、コットンパルプ、木材パルプ、マーセル化パルプ、溶媒再生セルロース、ビスコース、酢酸セルロース、セルロースフィラーなどの植物繊維が挙げられる。そのほか、バルカナイズファイバなども利用できる。ここで、バルカナイズファイバとは、木材繊維または綿でつくられた原紙を塩化亜鉛溶液に浸漬し、その後、水洗いにより塩化亜鉛溶液などを抜きとり、乾燥、プレス加工を経て成形仕上げされた積層品である。バルカナイズファイバは、化学的に中性で、緻密かつ強靱な工業材料であるから、それ自体、機械的強度を有し、弾力性を備え、ねじりに対する復元性も備えている。また、バルカナイズファイバは静電気を帯びないか、または静電気の発生が極めて少ない。このため、商品に埃などが付着しにくい。これは、木材繊維などの天然繊維で作られており、その表面は樹脂のようにつるつるしておらず、粗面化していて摩擦に対する接触面積が小さいためであると考えられる。
このうち、古紙や紙製品などは、あらかじめ粉砕機により数ｍｍ角に粉砕されて使用される。
なお、低発熱性可燃性材料の代わりに、炭酸カルシウムなどの、熱可塑性合成樹脂の燃焼カロリーを抑えることのできる無機系の材料を用いることも可能である。
【００４１】
熱可塑性合成樹脂に対する低発熱性可燃性材料の添加割合は、熱可塑性合成樹脂１００重量部に対して１０〜２００重量部、好ましくは２０〜１００重量部である。１０重量部未満では、低発熱性可燃性材料の割合が少なすぎて、焼却処分に適さず、一方、２００重量部を超えると、成形加工が難しくなり、また、表示シートの強度がでない。得られる成形材料（熱可塑性合成樹脂＋低発熱性可燃性材料）は、例えば一軸押出機に投入されて、１８０℃くらいの温度でいったんペレット化される。その後、このペレットを射出成形機で射出成形することで、本考案の商品表示シート保持具（および側面用の商品表示シート）が射出成形される。なお、射出成形でなくても、例えば型押し成形などでもよい。
【図面の簡単な説明】
【００４２】
【図１】本考案に係る商品表示シート保持具の側面図である。
【図２】この商品表示シート保持具の正面図である。
【図３】この商品表示シート保持具の平面図である。
【図４】図１のＸ−Ｘ断面図である。
【図５】上端係止部の他の設置例を示す断面図である。
【図６】単独支持用の商品表示シートの平面図である。
【図７】両持ち用の商品表示シートの平面図である。
【図８】三点支持用の商品表示シートの平面図である。
【図９】側面用の商品表示シートの平面図である。
【図１０】商品表示シート保持具の単独使用例を示す正面図である。
【図１１】商品表示シート保持具の両持ち使用例を示す正面図である。
【図１２】商品表示シート保持具の三点支持の使用例を示す正面図である。
【図１３】図１０ないし図１２のＹ−Ｙ断面図である。
【図１４】逆Ｕ字状の係合部の使用例を示す斜視図である。
【図１５】係合突条の使用例を示す斜視図である。
【符号の説明】
【００４３】
Ｂ  正面用の商品表示シート
Ｃ  商品表示シート
１０  担持部
１１  上端係止部
１２  下端係止部
１３  背面板
１４  フック部
１５  係合部
１６  係合突条
１７  ポケット部
【図１】
0003125735.tif 000003
【図２】
0003125735.tif 000004
【図３】
0003125735.tif 000005
【図４】
0003125735.tif 000006
【図５】
0003125735.tif 000007
【図６】
0003125735.tif 000008
【図７】
0003125735.tif 000009
【図８】
0003125735.tif 000010
【図９】
0003125735.tif 000011
【図１０】
0003125735.tif 000012
【図１１】
0003125735.tif 000013
【図１２】
0003125735.tif 000014
【図１３】
0003125735.tif 000015
【図１４】
0003125735.tif 000016
【図１５】
0003125735.tif 000017